(57)【要約】  優れたワイヤ固定力と優れた防水性能とを有するグロメットを提供すること。  台座と、ワイヤを固定するワイヤ固定部と、を備え、該台座及び該ワイヤ固定部のそれぞれが、ワイヤを挿通する少なくとも１つの孔を有し、該台座がプール部を備え、該プール部に樹脂剤を流し込んで硬化させてなる、グロメットを提供する。
2017217120.tif 000002
【特許請求の範囲】
【請求項１】
台座と、ワイヤを固定するワイヤ固定部と、を備え、
該台座及び該ワイヤ固定部のそれぞれが、ワイヤを挿通する少なくとも１つの孔を有し、
該台座がプール部を備え、
該プール部に樹脂剤を流し込んで硬化させてなる、
グロメット。
【請求項２】
前記プール部が外堀を備える、請求項１に記載のグロメット。
【請求項３】
前記ワイヤを挿通する少なくとも１つの突起部を備え、
該突起部が、前記プール部が形成される前記台座の第１主面とは反対の第２主面上に形成される、請求項１に記載のグロメット。
【請求項４】
防水部材を備え、
該防水部材が、前記プール部が形成される台座の第１主面とは反対の第２主面の周囲に配される、請求項１に記載のグロメット。
【請求項５】
前記台座が、前記ワイヤを保持する少なくとも１つの保持部材を含み、
前記少なくとも１つの保持部材が、前記台座が有する前記少なくとも１つの孔の周囲部に設けられている、請求項１に記載のグロメット。
【請求項６】
前記台座及び前記ワイヤ固定部のそれぞれが硬質材料からなる、請求項１に記載のグロメット。
【請求項７】
前記ワイヤ固定部が、前記プール部を覆う第１カバー部材である、請求項１に記載のグロメット。
【請求項８】
前記ワイヤ固定部が、前記プール部を覆い、前記樹脂剤を流し込む開口部を有する第２カバー部材である、請求項１に記載のグロメット。
【請求項９】
前記ワイヤ固定部が、前記プール部を覆う第３カバー部材であり、
前記台座と該第３カバー部材とが一体成形された一体成形体を備え、
該一体成形体が、前記樹脂剤を流し込む開口部を有する、請求項１に記載のグロメット。
【請求項１０】
前記ワイヤ固定部が、前記ワイヤを支持する少なくとも１つの支持構造体から構成される、請求項１に記載のグロメット。
【請求項１１】
電池セルと、該電池セルが収容される電池パックケースと、を少なくとも備え、
該電池パックケースが、ワイヤを導出するための導出孔を有し、
該導出孔にはグロメットが配され、
該グロメットが、台座と、ワイヤを固定するワイヤ固定部と、を備え、
該台座及び該ワイヤ固定部のそれぞれが、ワイヤを挿通する少なくとも１つの孔を有し、
該台座がプール部を備え、該プール部に樹脂剤を流し込んで硬化させてなる、
電池パック。
【請求項１２】
前記プール部が外堀を備える、請求項１１に記載の電池パック。
【請求項１３】
前記グロメットが、前記ワイヤを挿通する少なくとも１つの突起部を備え、
該突起部が、前記プール部が形成される前記台座の第１主面とは反対の第２主面上に形成される、請求項１１に記載の電池パック。
【請求項１４】
前記グロメットが防水部材を備え、
該防水部材が、前記プール部が形成される台座の第１主面とは反対の第２主面の周囲に配され、
該防水部材が、前記グロメットと前記電池パックケースとの間に介在される、請求項１１に記載の電池パック。
【請求項１５】
前記台座及び前記ワイヤ固定部のそれぞれが硬質材料からなる、請求項１１に記載の電
池パック。
【請求項１６】
前記ワイヤ固定部が、前記プール部を覆う第１カバー部材である、請求項１１に記載の電池パック。
【請求項１７】
前記ワイヤ固定部が、前記プール部を覆い、前記樹脂剤を流し込む開口部を有する第２カバー部材である、請求項１１に記載の電池パック。
【請求項１８】
前記ワイヤ固定部が、前記プール部を覆う第３カバー部材であり、
前記台座と該第３カバー部材とが一体成形された一体成形体を備え、
該一体成形体が、前記樹脂剤を流し込む開口部を有する、請求項１１に記載の電池パック。
【請求項１９】
前記ワイヤ固定部が、前記ワイヤを支持する少なくとも１つの支持構造体から構成される、請求項１１に記載の電池パック。
【請求項２０】
請求項１１に記載の電池パックを電力供給源として備える、電子機器。
【発明の詳細な説明】
【技術分野】
【０００１】
本技術は、グロメットに関し、より詳しくは、グロメット、電池パック及び電子機器に関する。
【背景技術】
【０００２】
電子機器や自動車等の技術分野では、一般的に、ワイヤ（ワイヤと、複数のワイヤを束にして集合部品としたワイヤハーネスとを含むことを意味する。以下同じ。）を電池パック等の筐体から引き出す場合にグロメットが用いられている。【０００３】
例えば、導管部とグロメット取り付け部の間に応力吸収部が形成されるグロメットにおいて、前記応力吸収部断面が概略Ｕ字状に折り返えされて成り、グロメット取り付け部の一端が内周方向に断面が概略Ｕ字状に折り返えされて成る第２応力吸収部で形成されていることを特徴とするグロメットが提案されている（特許文献１を参照）。【０００４】
また、例えば、ラッパ状のグロメット本体の小径側端に、円筒状の電線保持部を連成するとともに、前記グロメット本体の内部に、前記電線保持部に連通する止水剤充填室を形成し、該止水剤充填室内に止水剤を充填することによって挿通された電線束を密封した止水グロメットであって、前記電線保持部の一端側を前記グロメット本体の内部に延長するとともに、該電線保持部の一端に前記止水剤充填室を連成することにより、前記グロメット本体内に、該グロメット本体の少なくとも小径側壁部と前記止水剤充填室の壁部とを隔てる空間部を形成したことを特徴とする止水グロメットが提案されている（特許文献２を参照）。【０００５】
さらに、例えば、気装置を固定する為の台座を備え、前記電気装置の端子に接続されたリード線を、前記台座の前記電気装置を固定しない側に引き出し、グロメットにより取り付け固定する配線固定装置において、前記台座は前記グロメットを含む窪みを備え、該窪みに樹脂剤を流し込み硬化させてなることを特徴とする配線固定装置が提案されている（特許文献３を参照）。
【先行技術文献】
【特許文献】
【０００６】
【特許文献１】特開平９−２５９６７２号公報
【特許文献２】特開平１１−２３２９４８号公報
【特許文献３】特開平１１−３５４９４３号公報
【発明の概要】
【発明が解決しようとする課題】
【０００７】
しかしながら、当該技術分野では、特許文献１〜３で提案された技術によるグロメット及び配線固定装置では、電池パック等の筐体から引き出されるワイヤの固定力の向上や、電池パック等の筐体に対する防水性の向上が図れないおそれがある。したがって、更なる、ワイヤの固定力の向上や、防水性の向上をさせたグロメットが望まれているのが現状である。【０００８】
そこで、本技術は、このような状況に鑑みてなされたものであり、優れたワイヤ固定力と優れた防水性能とを有するグロメット、そのグロメットを備える電池パック及び電子機器を提供することを主目的とする。
【課題を解決するための手段】
【０００９】
本発明者は、上述の目的を解決するために鋭意研究を行った結果、優れたワイヤ固定力と優れた防水性能を有するグロメットを開発することに成功し、本技術を完成するに至った。【００１０】
すなわち、本技術では、台座と、ワイヤを固定するワイヤ固定部と、を備え、該台座及び該ワイヤ固定部のそれぞれが、ワイヤを挿通する少なくとも１つの孔を有し、該台座がプール部を備え、該プール部に樹脂剤を流し込んで硬化させてなる、グロメットを提供する。【００１１】
前記プール部が外堀を備えていてもよい。
前記ワイヤを挿通する少なくとも１つの突起部を備えていてもよく、該突起部が、前記プール部が形成される前記台座の第１主面とは反対の第２主面上に形成されてよい。
防水部材を備えていてもよく、該防水部材が、前記プール部が形成される台座の第１主面とは反対の第２主面の周囲に配されてよい。
前記台座が、前記ワイヤを保持する少なくとも１つの保持部材を含んでよく、前記少なくとも１つの保持部材が、前記台座が有する前記少なくとも１つの孔の周囲部に設けられてよい。
前記台座及び前記ワイヤ固定部のそれぞれが硬質材料からなっていてよい。【００１２】
前記ワイヤ固定部が、前記プール部を覆う第１カバー部材でよい。【００１３】
前記ワイヤ固定部が、前記プール部を覆い、前記樹脂剤を流し込む開口部を有する第２カバー部材でよい。【００１４】
前記ワイヤ固定部が、前記プール部を覆う第３カバー部材でよく、前記台座と該第３カバー部材とが一体成形された一体成形体を備えていてもよく、該一体成形体が、前記樹脂剤を流し込む開口部を有してよい。【００１５】
前記ワイヤ固定部が、前記ワイヤを支持する少なくとも１つの支持構造体から構成されていてもよい。【００１６】
また、本技術では、電池セルと、該電池セルが収容される電池パックケースと、を少なくとも備え、該電池パックケースが、ワイヤを導出するための導出孔を有し、該導出孔にはグロメットが配され、該グロメットが、台座と、ワイヤを固定するワイヤ固定部と、を備え、該台座及び該ワイヤ固定部のそれぞれが、ワイヤを挿通する少なくとも１つの孔を有し、該台座がプール部を備え、該プール部に樹脂剤を流し込んで硬化させてなる、電池パックを提供する。【００１７】
本技術に係る電池パックにおいて、前記プール部が外堀を備えていてもよい。
本技術に係る電池パックにおいて、前記グロメットが、前記ワイヤを挿通する少なくとも１つの突起部を備え、該突起部が、前記プール部が形成される前記台座の第１主面とは反対の第２主面上に形成されていてもよい。
本技術に係る電池パックにおいて、前記グロメットが防水部材を備えていてよく、該防水部材が、前記プール部が形成される台座の第１主面とは反対の第２主面の周囲に配されてよく、該防水部材が、前記グロメットと前記電池パックケースとの間に介在されてよい。
本技術に係る電池パックにおいて、前記台座が、前記ワイヤを保持する少なくとも１つの保持部材を含んでよく、前記少なくとも１つの保持部材が、前記台座が有する前記少なくとも１つの孔の周囲部に設けられていてよい。
本技術に係る電池パックにおいて、前記台座及び前記ワイヤ固定部のそれぞれが硬質材料からなっていてもよい。
本技術に係る電池パックにおいて、前記ワイヤ固定部が、前記プール部を覆う第１カバー部材でよい。
本技術に係る電池パックにおいて、前記ワイヤ固定部が、前記プール部を覆い、前記樹脂剤を流し込む開口部を有する第２カバー部材でよい。
本技術に係る電池パックにおいて、前記ワイヤ固定部が、前記プール部を覆う第３カバー部材でよく、前記台座と該第３カバー部材とが一体成形された一体成形体を備えていてよく、該一体成形体が、前記樹脂剤を流し込む開口部を有してよい。
本技術に係る電池パックにおいて、前記ワイヤ固定部が、前記ワイヤを支持する少なくとも１つの支持構造体から構成されていてよい。【００１８】
さらに、本技術では、本技術に係る電池パックを電力供給源として備える、電子機器を提供する。
さらにまた、本技術に係る電池パックと、該電池パックから供給された電力を駆動力に変換する変換部と、該駆動力に応じて駆動する駆動部と、該電池パックの使用状態を制御する制御部と、を備える、電動車両を提供し、
本技術に係る電池パックと、該電池パックから電力が供給される１または２以上の電気機器と、該電池パックからの該電気機器に対する電力供給を制御する制御部と、を備える、電力貯蔵システムを提供し、
本技術に係る電池パックと、該電池パックから電力が供給される可動部と、を備える、電動工具を提供する。
【発明の効果】
【００１９】
本技術によれば、優れたワイヤ固定力と優れた防水性能とを有するグロメット、そのグロメットを備える電池パック及び電子機器が提供される。
なお、ここに記載された効果は、必ずしも限定されるものではなく、本技術中に記載されたいずれかの効果であってもよい。
【図面の簡単な説明】
【００２０】
【図１】本技術に係る第１の実施形態のグロメットの斜視図である。
【図２】本技術に係る第１の実施形態のグロメットの拡大斜視図である。
【図３】本技術に係る第１の実施形態のグロメットに備えられる台座の斜視図である。
【図４】本技術に係る第１の実施形態のグロメットに備えられる第１カバー部材（ワイヤ固定部）の斜視図である。
【図５】本技術に係る第１の実施形態のグロメットの分解斜視図である。
【図６】本技術に係る第１の実施形態のグロメットの分解拡大斜視図である。
【図７】本技術に係る第２の実施形態のグロメットの斜視図である。
【図８】本技術に係る第２の実施形態のグロメットの拡大斜視図である。
【図９】本技術に係る第２の実施形態のグロメットに備えられる台座の斜視図である。
【図１０】本技術に係る第２の実施形態のグロメットに備えられる第２カバー部材（ワイヤ固定部）の斜視図である。
【図１１】本技術に係る第２の実施形態のグロメットの分解斜視図である。
【図１２】本技術に係る第２の実施形態のグロメットの分解拡大斜視図である。
【図１３】本技術に係る第３の実施形態のグロメットの斜視図である。
【図１４】本技術に係る第３の実施形態のグロメットの拡大斜視図である。
【図１５】本技術に係る第３の実施形態のグロメットに備えられる一体成形体の斜視図である。
【図１６】本技術に係る第３の実施形態のグロメットの分解斜視図である。
【図１７】本技術に係る第３の実施形態のグロメットの分解拡大斜視図である。
【図１８】本技術に係る第４の実施形態のグロメットの斜視図である。
【図１９】本技術に係る第４の実施形態のグロメットの拡大斜視図である。
【図２０】本技術に係る第４の実施形態のグロメットに備えられる台座の斜視図である。
【図２１】本技術に係る第４の実施形態のグロメットに備えられる支持構造体の斜視図である。
【図２２】本技術に係る第４の実施形態のグロメットの分解斜視図である。
【図２３】本技術に係る第４の実施形態のグロメットの分解拡大斜視図である。
【図２４】本技術に係る第５の実施形態の電池パックの斜視図である。
【図２５】図２４に示される、本技術に係る第５の実施形態の電池パックのＥ−Ｅ線の断面図である。
【図２６】図２４に示される、本技術に係る第５の実施形態の電池パックのＦ−Ｆ線断面図である。
【図２７】本技術に係る第７の実施形態の電動車両の例の構成を示すブロック図である。
【図２８】本技術に係る第８の実施形態の電力貯蔵システムの例の構成を示すブロック図である。
【図２９】本技術に係る第９の実施形態の電動工具の例の構成を示すブロック図である。
【発明を実施するための形態】
【００２１】
以下、本技術を実施するための好適な形態について図面を参照しながら説明する。以下に説明する実施形態は、本技術の代表的な実施形態の一例を示したものであり、これにより本技術の範囲が狭く解釈されることはない。なお、図面については、同一又は同等の要素又は部材には同一の符号を付し、重複する説明は省略する。
【００２２】
説明は以下の順序で行う。
１．本技術の概要
２．第１の実施形態（グロメットの例）
２−１．グロメット
２−２．台座
２−３．第１カバー部材（ワイヤ固定部）
２−４．樹脂剤
２−５．突起部
２−６．防水部材
２−７．保持部材
３．第２の実施形態（グロメットの変形例１）
３−１．グロメット
３−２．台座
３−３．第２カバー部材（ワイヤ固定部）
４．第３の実施形態（グロメットの変形例２）
４−１．グロメット
４−２．一体成形体
５．第４の実施形態（グロメットの変形例３）
５−１．グロメット
５−２．台座
５−３．支持構造体（ワイヤ固定部）
６．第５の実施形態（電池パックの例）
６−１．電池パック
６−２．電池ブロック
６−３．電池パックケース
６−４．電池パックにおけるグロメットの配置例
７．第６の実施形態（電子機器の例）
７−１．電子機器
７−２．電子機器の具体例
８．第７の実施形態（電動車両の例）
９．第８の実施形態（電力貯蔵システムの例）
１０．第９の実施形態（電動工具の例）
【００２３】
＜１．本技術の概要＞
本技術の概要について説明をする。
【００２４】
まず、一般的なグロメットと配線固定装置とを説明する。
グロメットは、ワイヤを電池パック等の筐体から引き出す場合に、ワイヤの固定と防水防塵などの保護をするために装着させる。また、配線固定装置は、硬質材料の取り付け台座を有して、電池パック等の筐体の貫通穴から組み付けられる。
【００２５】
グロメットについては、ゴムまたはエラストマーなどの軟質材によって形成されていて、ワイヤを装着させる穴をワイヤ１本ごとにある場合と、複数本のワイヤを束状にまとめて１つの穴から装着させるものがある。
【００２６】
ワイヤが１本ごとに装着させる穴の場合では、グロメットの穴にワイヤを圧入することでワイヤ被覆の円周上で防水を行っている構造をとっているため、防水仕様の強いものではワイヤとグロメットとの組み付け作業は容易ではない。複数本あるワイヤ束の場合は、ワイヤを束ねてからグロメットに入れて封止剤を流し込み、まとめて防水を行っているが、各ワイヤ間に封止剤がムラなく均一に隙間を封止することが難しいので防水性能が安定しないおそれがある。
【００２７】
また、グロメット本体が軟質材料である場合にワイヤの屈曲、ねじれ等によってワイヤとグロメットのワイヤ装着穴に隙間ができ、グロメット自体も筐体の貫通穴から変形することから浸水することがある。
【００２８】
軟質材料のグロメットが取り付く筐体との防水構造については、グロメットと筐体の貫通穴の潰し量に頼っているため、防水仕様の強いものは逆に筐体への組み付け作業が固く困難になることがある。
【００２９】
配線固定装置については、硬質材料の取り付け台座に樹脂剤を流し込む窪みを備え、その窪みの中でグロメットと台座を貫通させたワイヤを一緒に硬化させることでワイヤ被覆の円周上で防水を行っているが、樹脂剤を流し込む側が被水側であり外観面となることが想像できることから外観上樹脂剤がむき出しとなり意匠性が低い。
【００３０】
樹脂剤を流し込む窪みもプールのような形状であるから、樹脂剤を窪みに流し込む量が少ない場合は防水性能が低下することがある。一方、樹脂剤を窪みに流し込む量が多い場合には、台座面へ溢れてしまい外観が汚くなる問題があるため、流し込む量の管理は難しい。
【００３１】
また、複数本のワイヤを樹脂剤で硬化させるときに、その窪みには各ワイヤ間を適正な間隔に維持する構造がないのでワイヤが互いに寄れたり倒れたりしてワイヤ間の樹脂剤の厚みが必要厚さにならない状態で硬化し必要な防水機能が得られないことがある。
【００３２】
本技術は、以上の状況に基づくものであり、本技術では、台座と、ワイヤを固定するワイヤ固定部と、を備え、該台座及び該ワイヤ固定部のそれぞれが、ワイヤを挿通する少なくとも１つの孔を有し、該台座がプール部を備え、該プール部に樹脂剤を流し込んで硬化させてなる、グロメットを用いることによって、優れたワイヤ固定力と優れた防水性能とが得られる。
【００３３】
そして、本技術に係るグロメットは、電池パックに備えられている電池パックケースに配されることによって、ワイヤ固定力を向上させながら、電池パックの防水性を向上させることができ、電池パックの優れた電池特性の向上・維持に貢献することができる。なお、本技術に係るグロメットは、電池パックに適用されるだけでなく、電子機器、自動車等において用いられる筐体等の物品に配されて適用されてもよい。
【００３４】
電池パックは、リチウムイオン電池などの電池、及びこの電池が複数個保持される電池ホルダからなる一又は複数の電池ブロックが電池パックケース（外装ケース）に収容されることで形成される。この電池パックは、パーソナルコンピュータ、携帯通信端末などの電子機器、電動機を駆動源として搭載する車両、ランマーや芝刈り機などの電動機具などに使用されている。
【００３５】
＜２．第１の実施形態（グロメットの例）＞
［２−１．グロメット］
図１〜図６を用いて、本技術に係る第１の実施形態（グロメットの例）のグロメット１について説明する。
【００３６】
グロメット１は、台座２と、ワイヤ１２を固定するワイヤ固定部として第１カバー部材３とを備え、台座２が、ワイヤ１２を挿通する複数の孔５を有し、第１カバー部材３が、ワイヤ１２を挿通する複数の孔６を有し、台座２がプール部４を備え、プール部４に樹脂剤８を流し込んで硬化させてなる、グロメットである。
【００３７】
図１は、ワイヤ１２を挿通させたグロメット１の斜視図であり、図２（ａ）はワイヤ１２を挿通させたグロメット１の拡大斜視図である。図２（ｂ）は、図２（ａ）に示されるＡ−Ａ線の断面斜視図である。
【００３８】
図１〜図２に示されるとおり、グロメット１は、プール部４の上部に第１カバー部材３を覆うことで、台座２と第１カバー部材３とによって、樹脂剤８が硬化するまでワイヤ１２は固定されるので、ワイヤ１２同士の寄りや倒れによる樹脂剤８の厚みのムラの発生を防止でき、ワイヤ１２間の防水を確実に達成できる構造を有し、防水性能の安定化を図ることができる。
【００３９】
また、グロメット１は、台座２には樹脂剤８が外周にあふれ出ても、製造適性の観点及び外観（意匠性）の観点で問題にならないように樹脂剤８を受ける外堀７を備えたプール部４が備えられ、孔５に挿通されたワイヤ１２をプール部４の中で樹脂剤８によって封止して水の侵入を防止することができ、例えば、ゴム質グロメットにワイヤを圧入するような力のかかる作業を省力化して作業効率の向上を図ることができる。
【００４０】
図５は、ワイヤ１２を挿通させたグロメット１の分解斜視図であり、図６はワイヤ１２を挿通させたグロメット１の分解拡大斜視図である。
【００４１】
図５〜図６に示されるとおり、ワイヤ１２を立たせた状態で、最小クリアランスを有する台座２の複数の孔５にワイヤ１２を挿通し、ワイヤ１２と孔６との隙間から水の侵入を防止するため、樹脂剤８をプール部４に流し込み、樹脂剤８の注入後に、第１カバー部材３の複数の孔６にワイヤ１２を挿通して、第１カバー部材３を台座２のプール部４に覆う。その結果、グロメット１は、台座２と第１カバー部材３とによって、所定の距離を保ちながら２箇所でワイヤ１２が固定されるので、樹脂剤８が硬化するまでの間にワイヤ１２が寄れたり、倒れたりしないようにしてワイヤ１２の形状を安定に保持できるようにしている。さらに、プール部４が形成される台座２の第１主面２ａとは反対の第２主面２ｂの周囲部に、防水機能を有するＯリング１０が配される。
【００４２】
グロメット１に備えられる台座２及び第１カバー部材３は、特に限定されずに任意の材料から形成されてよいが、プラスチック材料等の硬質材料から形成されることが好ましい。プラスチック材料としては、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、ポリブチレンテレフタレート（ＰＢＴ）、ポリアミド（ＰＡ）、液晶ポリマー（ＬＣＰ）などが挙げられる。
【００４３】
台座２及び第１カバー部材３にプラスチック材料等の硬質材料を用いることによって、台座２及び第１カバー部材３に剛性を付与することができ、外力による変形に起因する浸水を更に防止することできる。また、台座２の第２主面２ｂ側は、電池パック等の筐体の外側（意匠面側）となり、台座２がプラスチック材料等の硬質材料で形成されると、外力による変形がなく意匠性に優れる。
【００４４】
また、電池パック６０１等の筐体への組み付け性とワイヤ１２の屈曲、ねじれ等に対するワイヤ固定力（保持力）を更に担保するために、台座２及び第１カバー部材２が、プラスチック材料等の硬質材料から形成されていることが好ましい。
【００４５】
台座２が有する孔５及び第１カバー部材３が有する孔６は、ワイヤ１２を容易に挿通させる最低限のクリアランスを有することが好ましい。孔５及び孔６が最低限のクリアランスを有することによって、ワイヤ１２を固定する効果と防水効果とが更に奏され、樹脂剤８が流れ出ることなく、ゴム等の弾性体でワイヤ１２を締め付けて防水する必要がなく、アセンブリの作業が更に簡易となる。
【００４６】
［２−２．台座］
図３を用いて、グロメット１に備えられる台座２について説明する。図３（ａ）は台座２の第２主面２ｂ側の斜視図である。図３（ｂ）は台座２の第１主面２ａ側の斜視図である。図３（ｃ）は、台座２が有する複数の孔５の一部を拡大した図である。
【００４７】
図３（ａ）及び（ｂ）に示されるように、台座２は略矩形状の第１主面２ａ及び第２主面２ｂを有する。第１主面２ａと第２主面２ｂとは互いに反対側に位置して表裏関係にある。第２主面２ｂは平板状の凸部１３を有する。平板状の凸部１３上には、複数の突起部９が形成される。複数の突起部９の詳細については後述する。また、第２主面２ｂは、第２主面２ｂの周囲部（第２主面２ｂにおいて、平板状の凸部１３ではない部分）に防水部材であるＯリング１０を配するための周辺凹部１８を有する。
【００４８】
第１主面２ａは、平板状の凹部１４を有する。平板状の凹部１４には、樹脂剤８を流し込むためのプール部４と、外堀７とが形成される。プール部４は略矩形状であり、第１主面２ａに対して垂直である方向にプール部４を区画するための側面板１５を有する。外堀７は、側面板１５の外側であって、プール部４の外周側に形成される。プール部４には、長手方向に、ワイヤ１２を挿通するための５個の孔５が配され、短手方向に、ワイヤ１２を挿通するための２個の孔５が配される。すなわち、プール部４には、１０個の孔５が配される。なお、図３（ｂ）に示される、孔５の数が１０個であることは一例に過ぎず、孔５の数は、ワイヤの本数に応じて随意に変更される。
【００４９】
図３（ｃ）に示されるように、孔５の周囲部には、ワイヤ１２を保持する保持部材として、樹脂ばね１１が設けられている。樹脂ばね１１の詳細については後述する。
【００５０】
［２−３．第１カバー部材（ワイヤ固定部）］
図４を用いて、グロメット１に備えられる第１カバー部材３について説明する。図４（ａ）は、第１カバー部材３の表面側の斜視図である。図４（ｂ）は、第１カバー部材３の裏面側の斜視図である。
【００５１】
図４（ａ）及び（ｂ）に示されるように、第１カバー部材３は、プール部４を覆う平板（底板）１６と、平板（底板）１６に対して垂直な方向に側面板１７を有する。側面板１７によって、第１カバー部材３を台座２に固定させることができる。平板（底板）１６には、長手方向に、ワイヤ１２を挿通するための５個の孔６が配され、短手方向に、ワイヤ１２を挿通するための２個の孔６が配される。すなわち、第１カバー部材３には、１０個の孔６が配される。なお、図４（ａ）及び（ｂ）に示される、孔６の数が１０個であることは一例に過ぎず、孔６の数は、ワイヤの本数に応じて随意に変更される。
【００５２】
台座２の孔５に１０本のワイヤ１２を挿通し、続いて第１カバー部材３の孔６に１０本のワイヤ１２を挿通するときに、ワイヤ１２がねじれたり、曲がったりしないように、１０個の孔５のそれぞれがプール部４に配される位置と、１０個の孔６のそれぞれが平板（底板）１６に配される位置とは略一致している。
【００５３】
［２−４．樹脂剤］
樹脂剤８は、プール部４に流し込んで硬化させてなるものである。樹脂剤８は硬化することができれば、特に限定されないが、例えば、エポキシ樹脂、ホットメルト、ウレタン樹脂等が挙げられる。樹脂剤８は、流動性を調整することによってプール部４に流し込む際に台座２、第１カバー部材３等から樹脂剤８の漏れがないようにすることができる。
【００５４】
［２−５．突起部］
図３（ａ）を参照すると、平板状の凸部１３上には、長手方向に５個の突起部９、及び短手方向に２個の突起部９（合計で１０個の突起部９）が形成されている。突起部９はワイヤ１２を挿通する孔を有し、図中の長手方向の右側から左側にかけて、挿通するワイヤ１２の太さに応じて孔の大きさは小さくなっている。突起部９の形状は、ワイヤ１２の太さが太い場合は略円筒状であり、ワイヤ１２の太さが細くなるに従って、略円錐状となる。突起部９の数は、ワイヤの本数に応じて随意に変更される。突起部９は、台座２と一体に成形されて、例えば、台座２と同一材料である硬質材料から構成されてもよいし、台座２と別体で成形されて、例えば、台座２の硬質材料とは異なるゴム材料から構成されてもよい。
【００５５】
突起部９は、ワイヤ１２を保持することができ、ワイヤ１２に発生した屈曲の変形量が、樹脂剤８で硬化した部分に伝わり難くすることができるので、従来技術のようにワイヤの屈曲によるワイヤを挿通する孔（例えば、台座２の孔５、第１カバー部材３の孔６等）の円周上での浸水を防止することができる。また、樹脂剤８は台座２と第１カバー部材３との間に封入されているが、突起部９を設けることによって、外力によってワイヤ１２の屈曲、ねじれ等が電池パックケース６０２等の筐体の内部に存在する樹脂剤に伝わりにくいので、ワイヤ１２の屈曲又はねじれの方向に樹脂剤８は変形しにくく、安定した防水効果が得られる。
【００５６】
［２−６．防水部材］
防水部材であるＯリング１０は、台座２が有する周辺凹部１８に配される。周辺凹部１８にＯリング１０が配されることで、グロメット１と電池パックケース６０２等の筐体との組み付けが容易である。
【００５７】
Ｏリング１０の材料としては特に限定されず、例えば、弾性変形することができればよく、天然ゴム、合成天然ゴム、シリコン、イソプレンゴム、ブタジエンゴム、スチレンゴム、スチレンブタジエンゴム、ブチルゴム、エチレン・プロレンゴム、ニトリルゴム、クロロスルホン化ポリエチレンゴム、アクリルゴム、ウレタンゴム、シリコーンゴム、フッ素ゴム、多硫化ゴムなどのゴム系材料が使用される。Ｏリング１０は、前記ゴム系材料に無機フィラーを含むと防水効果を高めることができる。このような無機フィラーとしては、シリカ、アルミナ、炭酸カルシウム、酸化チタン、マイカ、ゼオライト、活性炭などが挙げられる。
【００５８】
防水部材は、Ｏリング１０の他に、防水性の向上を図ることができる部材であれば任意の材料でよく、例えば、シート状の軟質ゴムでもよい。
【００５９】
［２−７．保持部材］
ワイヤ１２を保持する保持部材として、台座２の孔５の周囲部には、樹脂ばね１１が設けられている。図３（ｃ）を参照すると、樹脂ばね１１は、３つの突起状の片で形成されているが、例えばワイヤ１２の太さ、ワイヤ保持力の強さ等に応じて、突起状の片の数を増やしてもよいし減らしてもよい。保持部材は、ワイヤを保持することができれば、樹脂ばね１１に限らず、例えば金属ばねでもよい。
【００６０】
樹脂ばね１１は、樹脂剤８が硬化するまでの間に一時的にワイヤ１２を保持することで台座２から露出させるワイヤ１２の長さを決めることができる。なお、樹脂ばね１１は、台座２の孔５の周囲部に設けられているが、ワイヤ固定部、例えば、第１カバー部材３の孔６の周囲部に設けられてもよい。
【００６１】
＜３．第２の実施形態（グロメットの変形例１）＞
［３−１．グロメット］
図７〜図１２を用いて、本技術に係る第２の実施形態（グロメットの変形例１）のグロメット１０１について説明する。
【００６２】
グロメット１０１は、台座１０２と、ワイヤ１２を固定するワイヤ固定部として、樹脂剤８を流し込む開口部１１９を有する第２カバー部材１０３と、を備え、台座１０２が、ワイヤを挿通する複数の孔１０５を有し、第２カバー部材１０３が、ワイヤ１２を挿通する複数の孔１０６を有し、台座１０２がプール部１０４を備え、プール部１０４に樹脂剤８を流し込んで硬化させてなる、グロメットである。
【００６３】
図７は、ワイヤ１２を挿通させたグロメット１０１の斜視図であり、図８（ａ）はワイヤ１２を挿通させたグロメット１０１の拡大斜視図である。図８（ｂ）は、図８（ａ）に示されるＢ−Ｂ線の断面斜視図である。
【００６４】
図７〜図８に示されるとおり、グロメット１０１は、また、プール部１０４の上部に第２カバー部材１０３を覆うことで、台座１０２と第２カバー部材１０３とによって、樹脂剤８が硬化するまでワイヤ１２は固定されるので、ワイヤ１２同士の寄りや倒れによる樹脂剤８の厚みのムラの発生を防止でき、ワイヤ１２間の防水を確実に達成できる構造を有し、防水性能の安定化を図ることができる。
【００６５】
また、グロメット１０１は、台座１０２には、開口部１１９から流し込まれた樹脂剤８が外周にあふれ出ても、製造適性の観点及び外観（意匠性）の観点で問題にならないように樹脂剤８を受ける外堀１０７を備えたプール部１０４が備えられ、孔１０５に挿通されたワイヤ１２をプール部１０４の中で樹脂剤８によって封止して水の侵入を防止することができ、従来のゴム質グロメットにワイヤを圧入するような力のかかる作業を省力化して作業効率の向上を図ることができる。
【００６６】
図１１は、ワイヤ１２を挿通させたグロメット１０１の分解斜視図であり、図１２はワイヤ１２を挿通させたグロメット１０１の分解拡大斜視図である。
【００６７】
図１１〜図１２に示されるとおり、ワイヤ１２を寝かせた状態で、最小クリアランスを有する台座１０２の複数の孔１０５にワイヤ１２を挿通し、続いて最小クリアランスを有する第２カバー部材１０３の複数の孔１０６にワイヤ１２を挿通して、台座１０２と第２カバー部材１０３とによってワイヤ１２を固定して、台座１０２と第２カバー部材１０３とによって形成される開口部１１９から樹脂剤８を流し込む。その結果、グロメット１０１は、樹脂剤８が硬化するまでの間にワイヤ１２が寄れたり、倒れたりしないようにしてワイヤ１２の形状を安定に保持できるようにしている。ワイヤ１２を寝かせた状態で、台座１０２と第２カバー部材３とによって、所定の距離を保ちながら２箇所でワイヤ１２を固定した状態で、開口部１１９から樹脂剤８を流し込むので、ワイヤ１２の形状を安定に保持しながら作業効率の向上を更に図ることができる。さらに、プール部１０４が形成される台座１０２の第１主面１０２ａとは反対の第２主面１０２ｂの周囲部に、防水機能を有するＯリング１０が配される。
【００６８】
グロメット１０１に備えられる台座１０２及び第２カバー部材１０３は、特に限定されずに任意の材料から形成されてよいが、プラスチック材料等の硬質材料から形成されることが好ましい。プラスチック材料としては、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、ポリブチレンテレフタレート（ＰＢＴ）、ポリアミド（ＰＡ）、液晶ポリマー（ＬＣＰ）などが挙げられる。
【００６９】
台座１０２及び第１カバー部材１０３にプラスチック材料等の硬質材料を用いることによって、台座１０２及び第１カバー部材１０３に剛性を付与することができ、外力による変形に起因する浸水を更に防止することできる。また、台座１０２の第２主面１０２ｂ側は、電池パック等の筐体の外側（意匠面側）となり、台座１０２がプラスチック材料等の硬質材料で形成されると、外力による変形がなく意匠性に優れる。
【００７０】
また、電池パック６０１等の筐体への組み付け性とワイヤ１２の屈曲、ねじれ等に対する固定力（保持力）を更に担保するために、台座１０２及び第２カバー部材１０３が、プラスチック材料等の硬質材料から形成されていることが好ましい。
【００７１】
台座１０２が有する孔１０５及び第２カバー部材１０３が有する孔１０６は、ワイヤ１２を容易に挿通させる最低限のクリアランスを有することが好ましい。孔１０５及び孔１０６が最低限のクリアランスを有することによって、ワイヤ１２を固定する効果と防水効果とが更に奏され、樹脂剤８が流れ出ることなく、ゴム等の弾性体でワイヤ１２を締め付けて防水する必要がなく、アセンブリの作業が更に簡易となる。
【００７２】
［３−２．台座］
【００７３】
図９を用いて、グロメット１０１に備えられる台座１０２について説明する。図９（ａ）は台座１０２の第２主面１０２ｂ側の斜視図である。図９（ｂ）は台座１０２の第１主面１０２ａ側の斜視図である。図９（ｃ）は、台座１０２が有する複数の孔１０５の一部を拡大した図である。
【００７４】
図９（ａ）及び（ｂ）に示されるように、台座１０２は略矩形状の第１主面１０２ａ及び第２主面１０２ｂを有する。第１主面１０２ａと第２主面１０２ｂとは互いに反対側に位置して表裏関係にある。第２主面２ｂは平板状の凸部１１３を有する。平板状の凸部１１３上には、複数の突起部９が形成される。複数の突起部９の詳細については上記のとおりである。また、第２主面１０２ｂは、第２主面１０２ｂの周囲部（第２主面１０２ｂにおいて、平板状の凸部１１３ではない部分）に防水部材であるＯリング１０を配するための周辺凹部１１８を有する。
【００７５】
第１主面１０２ａは、平板状の凹部１１４を有する。平板状の凹部１１４には、樹脂剤８を流し込むためのプール部１０４と、外堀１０７とが形成される。プール部１０４は略矩形状であり、第１主面１０２ａに対して垂直である方向にプール部１０４を区画するための側面板１１５を有する。外堀１０７は、側面板１１５の外側であって、プール部４の外周側に形成される。プール部１０４には、長手方向に、ワイヤ１２を挿通するための５個の孔１０５が配され、短手方向に、ワイヤ１２を挿通するための２個の孔１０５が配される。すなわち、プール部１０４には、１０個の孔１０５が配される。なお、図９（ｂ）に示される、孔１０５の数が１０個であることは一例に過ぎず、孔１０５の数は、ワイヤの本数に応じて随意に変更される。
【００７６】
図９（ｃ）に示されるように、孔１０５の周囲部には、ワイヤ１２を保持する保持部材として、樹脂ばね１１が設けられている。樹脂ばね１１の詳細については上記のとおりである。
【００７７】
［３−３．第２カバー部材（ワイヤ固定部）］
図１０を用いて、グロメット１０１に備えられる第２カバー部材１０３について説明する。図１０（ａ）は、第２カバー部材１０３の表面側の斜視図である。図１０（ｂ）は、第２カバー部材１０３の裏面側の斜視図である。
【００７８】
図１０（ａ）及び（ｂ）に示されるように、第２カバー部材１０３は、プール部１０４を覆う平板（底板）１１６と、平板（底板）１１６に対して垂直な方向に側面板１１７を有する。更に、第２カバー部材１０３は、樹脂剤８を流し込むための開口部１１９を有する。側面板１１７によって、第２カバー部材１０３を台座１０２に固定させることができる。平板（底板）１１６には、長手方向に、ワイヤ１２を挿通するための５個の孔１０６が配され、短手方向に、ワイヤ１２を挿通するための２個の孔１０６が配される。すなわち、第２カバー部材１０３には、１０個の孔１０６が配される。なお、図１０（ａ）及び（ｂ）に示される、孔１０・BR>Uの数が１０個であることは一例に過ぎず、孔１０６の数は、ワイヤの本数に応じて随意に変更される。
【００７９】
台座１０２の孔１０５に１０本のワイヤ１２を挿通し、続いて第２カバー部材１０３の孔１０６に１０本のワイヤ１２を挿通するときに、ワイヤ１２がねじれたり、曲がったりしないように、１０個の孔１０５のそれぞれがプール部１０４に配される位置と、１０個の孔１０６のそれぞれが平板（底板）１１６に配される位置とは略一致している。
【００８０】
＜４．第３の実施形態（グロメットの変形例２）＞
［４−１．グロメット］
図１３〜図１７を用いて、本技術に係る第３の実施形態（グロメットの変形例２）のグロメット２０１について説明する。
【００８１】
グロメット２０１は、台座２０２と、ワイヤ１２を固定するワイヤ固定部である第３カバー部材２０３とを一体成形した一体成形体２２０を備え、台座２０２が、ワイヤ１２を挿通する複数の孔２０６を有し、第３カバー部材２０３が、ワイヤ１２を挿通する複数の孔２０６を有し、台座２０２がプール部２０４を備え、プール部２０４に樹脂剤８を流し込んで硬化させてなる、グロメットである。
【００８２】
図１３は、ワイヤ１２を挿通させたグロメット２０１の斜視図であり、図１４（ａ）はワイヤ１２を挿通させたグロメット２０１の拡大斜視図である。図１４（ｂ）は、図１４（ａ）に示されるＣ−Ｃ線の断面斜視図である。
【００８３】
図１３〜図１４に示されるとおり、グロメット２０１は、プール部２０４と第３カバー部材２０３とを一体成形して作製された一体成形体２２０によって、樹脂剤８が硬化するまでワイヤ１２は固定されるので、ワイヤ１２同士の寄りや倒れによる樹脂剤８の厚みのムラの発生を防止でき、ワイヤ１２間の防水を確実に達成できる構造を有し、防水性能の安定化を図ることができる。
【００８４】
また、グロメット２０１は、台座２０２には、開口部２１９から流し込まれた樹脂剤８が外周にあふれ出ても、製造適性の観点及び外観（意匠性）の観点で問題にならないように樹脂剤８を受ける外堀２０７を備えたプール部２０４が備えられ、孔２０５に挿通されたワイヤ１２をプール部２０４の中で樹脂剤８によって封止して水の侵入を防止することができ、従来のゴム質グロメットにワイヤを圧入するような力のかかる作業を省力化して作業効率の向上を図ることができる。
【００８５】
図１６は、ワイヤ１２を挿通させる前のグロメット２０１の分解斜視図であり、図１７はワイヤ１２を挿通させる前のグロメット２０１の分解拡大斜視図である。
【００８６】
図１６〜図１７に示されるとおり、プール部２０４と第３カバー部材２０３とを一体成形して一体成形体２２０を作製する。続いて、ワイヤ１２を寝かせた状態で、最小クリアランスを有する台座２０２の複数の孔２０５にワイヤ１２を挿通し、続いて最小クリアランスを有する第３カバー部材２０３の複数の孔２０６にワイヤ１２を挿通して、一体成形体２２０によって所定の距離を保ちながら２箇所でワイヤ１２を固定して、一体成形体２２０が有する開口部２１９から樹脂剤８を流し込む。その結果、グロメット２０１は、樹脂剤８が硬化するまでの間にワイヤ１２が寄れたり、倒れたりしないようにしてワイヤ１２の形状を安定に保持できるようにしている。ワイヤ１２を寝かせた状態で、一体成形体２２０によってワイヤ１２を固定した状態で、開口部２１９から樹脂剤８を流し込むので、ワイヤ１２の形状を安定に保持しながら作業効率の向上を更に図ることができる。さらに、一体成形体２２０の第１主面２２０ａとは反対の第２主面２２０ｂの周囲部に、防水機能を有するＯリング１０が配される。
【００８７】
グロメット２０１に備えられる一体成形体２２０は、特に限定されずに任意の材料から形成されてよいが、プラスチック材料等の硬質材料から形成されることが好ましい。プラスチック材料としては、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、ポリブチレンテレフタレート（ＰＢＴ）、ポリアミド（ＰＡ）、液晶ポリマー（ＬＣＰ）などが挙げられる。
【００８８】
一体成形体２２０にプラスチック材料等の硬質材料を用いることによって、一体成形体２２０に剛性を付与することができ、外力による変形に起因する浸水を更に防止することできる。また、一体成形体２２０の第２主面２２０ｂ側は、電池パック等の筐体の外側（意匠面側）となり、一体成形体２２０がプラスチック材料等の硬質材料で形成されると、外力による変形がなく意匠性に優れる。
【００８９】
また、電池パック６０１等の筐体への組み付け性とワイヤ１２の屈曲、ねじれ等に対するワイヤ固定力（保持力）とを更に担保するために、一体成形体２２０が、プラスチック材料等の硬質材料から形成されていることが好ましい。
【００９０】
一体成形体２２０（台座２０２）が有する孔２０５及び一体成形体２２０（第３カバー部材２０３）が有する孔２０６は、ワイヤ１２を容易に挿通させる最低限のクリアランスを有することが好ましい。孔２０５及び孔２０６が最低限のクリアランスを有することによって、ワイヤ１２を固定する効果と防水効果とが更に奏され、樹脂剤８が流れ出ることなく、ゴム等の弾性体でワイヤ１２を締め付けて防水する必要がなく、アセンブリの作業が更に簡易となる。
【００９１】
［４−２．一体成形体］
図１５を用いて、グロメット２０１に備えられる、台座２０２と、第３カバー部材２０３とを一体成形した一体成形体２２０について説明する。図１５（ａ）は一体成形体２２０の第２主面側２２０ｂ（台座２０２の第２主面２０２ｂ側でもある。）の斜視図である。図９（ｂ）は一体成形体２２０の第１主面側２２０ａ（台座２０２の第１主面２０２ａ側でもある。）の斜視図である。
【００９２】
図１５（ａ）及び（ｂ）に示されるように、一体成形体２２０は略矩形状の第１主面２２０ａ及び第２主面２２０ｂを有する。第１主面２２０ａと第２主面２２０ｂとは互いに反対側に位置して表裏関係にある。なお、台座２０２が略矩形状の第１主面２０２ａ及び第２主面２０２ｂを有すると解釈されてもよい。更に、一体成形体２２０は、樹脂剤８を流し込むための開口部２１９を有する。第２主面２２０ｂは平板状の凸部２１３を有する。平板状の凸部２１３上には、複数の突起部９が形成される。複数の突起部９の詳細については上記のとおりである。また、第２主面２２０ｂは、第２主面２２０ｂの周囲部（第２主面２２０ｂにおいて、平板状の凸部２１３ではない部分）に防水部材であるＯリング１０を配するための周辺凹部２１８を有する。
【００９３】
第１主面２２０ａは、平板状の凹部２１４を有する。平板状の凹部２１４には、開口部２１９から樹脂剤８を流し込むためのプール部２０４と、プール部２０４を覆う第３カバー部材２０３と、外堀２０７とが形成される。プール部２０４は略矩形状であり、第１主面２２０ａに対して垂直である方向にプール部２０４を区画するための側面板２１５を有する。外堀２０７は、側面板２１５の外側であって、プール部２０４の外周側に形成される。第３カバー部材２０３は、上記の第１カバー部材３及び第２カバー部材１０３のように側面板を有して、その側面板とプール部２０４の側面板２１５とが一体成形されてもよい。
【００９４】
第３カバー部材２０３には、長手方向に、ワイヤ１２を挿通するための５個の孔２０６が配され、短手方向に、ワイヤを挿通するための２個の孔２０６が配される。すなわち、第３カバー部材２０３には、１０個の孔２０６が配される。また、プール部２０４には、長手方向に、ワイヤ１２を挿通するための５個の孔２０５が配され、短手方向に、ワイヤ１２を挿通するための２個の孔２０５が配される。すなわち、プール部２０４には、１０個の孔２０５が配される。一体成形体２２０に１０本のワイヤ１２を挿通するときに、１０本のワイヤ１２がねじれたり、曲がったりしないように、１０個の孔２０５のそれぞれがプール部２０４に配される位置と、１０個の孔２０６のそれぞれが第３カバー部材２０３に配される位置とは略一致している。なお、図１５（ｂ）に示される、孔２０５の数が１０個であること及び孔２０６の数が１０個であることは一例に過ぎず、孔２０５の数及び孔２０６の数は、ワイヤの本数に応じて随意に変更される。
【００９５】
孔２０５の周囲部には、ワイヤ１２を保持する保持部材として、樹脂ばね１１が設けられていてもよい。また、孔２０６の周囲部には、ワイヤ１２を保持する保持部材として、樹脂ばね１１が設けられていてもよい。樹脂ばね１１の詳細について上記のとおりである。
【００９６】
＜５．第４の実施形態（グロメットの変形例３）＞
［５−１．グロメット］
図１８〜図２３を用いて、本技術に係る第４の実施形態（グロメットの変形例３）のグロメット３０１について説明する。
【００９７】
グロメット３０１は、台座３０２と、ワイヤ１２を固定するワイヤ固定部として構成される複数の支持構造体３０３とを備え、台座３０２が、ワイヤ１２を挿通する複数の孔３０５を有し、複数の支持構造体３０３のそれぞれの１つが、ワイヤ１２を挿通する一つの孔３０６を有し、台座３０２がプール部３０４を備え、プール部３０４に樹脂剤８を流し込んで硬化させてなる、グロメットである。
【００９８】
図１８は、ワイヤ１２を挿通させたグロメット３０１の斜視図であり、図１９（ａ）はワイヤ１２を挿通させたグロメット３０１の拡大斜視図である。図１９（ｂ）は、図１９（ａ）に示されるＤ−Ｄ線の断面斜視図である。
【００９９】
図１８〜図１９に示されるとおり、グロメット３０１は、プール部３０４の内部に指示構造体３０３を設けることで、台座３０２と支持構造体３０３とによって、樹脂剤８が硬化するまでワイヤ１２は固定されるので、ワイヤ１２同士の寄りや倒れによる樹脂剤８の厚みのムラの発生を防止でき、ワイヤ１２間の防水を確実に達成できる構造を有し、防水性能の安定化を図ることができる。
【０１００】
また、グロメット３０１は、台座３０２には樹脂剤８が外周にあふれ出ても、製造適性の観点及び外観（意匠性）の観点で問題にならないように樹脂剤８を受ける外堀３０７を備えたプール部３０４が備えられ、孔３０５に挿通されたワイヤ１２をプール部３０４の中で樹脂剤８によって封止して水の侵入を防止することができ、従来のゴム質グロメットにワイヤを圧入するような力のかかる作業を省力化して作業効率の向上を図ることができる。
【０１０１】
図２２は、ワイヤ１２を挿通させたグロメット３０２の分解斜視図であり、図２３はワイヤ１２を挿通させたグロメット３０２の分解拡大斜視図である。
【０１０２】
図２２〜図２３に示されるとおり、ワイヤ１２を立たせた状態で、最小クリアランスを有する台座３０２の複数の孔５にワイヤ１２を挿通し、続いて、最小クリアランスを有する、複数の支持構造体の複数の孔３０６に挿通して、台座３０２と複数の構造体３０３によって、所定の距離を保ちながら２箇所でワイヤ１２を固定して、ワイヤ１２と孔３０５との隙間又はワイヤ１２と孔３０６との隙間から水の侵入を防止して、樹脂剤８をプール部３０４に流し込む。その結果、グロメット３０１は、樹脂剤８が硬化するまでの間にワイヤ１２が寄れたり、倒れたりしないようにしてワイヤ１２の形状を安定に保持できるようにしている。さらに、プール部３０４が形成される台座３０２の第１主面３０２ａとは反対の第２主面３０２２ｂの周囲部に、防水機能を有するＯリング１０が配される。
【０１０３】
グロメット３０１に備えられる台座３０２及び支持構造体３０３は、特に限定されずに任意の材料から形成されてよいが、プラスチック材料等の硬質材料から形成されることが好ましい。プラスチック材料としては、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、ポリブチレンテレフタレート（ＰＢＴ）、ポリアミド（ＰＡ）、液晶ポリマー（ＬＣＰ）などが挙げられる。
【０１０４】
台座３０２及び支持構造体３０３にプラスチック材料等の硬質材料を用いることによって、台座３０２及び支持構造体３０３に剛性を付与することができ、外力による変形に起因する浸水を更に防止することできる。また、台座３０２の第２主面３０２ｂ側は、電池パック等の筐体の外側（意匠面側）となり、台座３０２がプラスチック材料等の硬質材料で形成されると、外力による変形がなく意匠性に優れる。
【０１０５】
また、電池パック６０１等の筐体への組み付け性とワイヤ１２の屈曲、ねじれ等に対するワイヤ固定力（保持力）を更に担保するために、台座３０２及び支持構造体３０３が、プラスチック材料等の硬質材料から形成されていることが好ましい。
【０１０６】
台座３０２が有する孔３０５及び支持構造体３０３が有する孔３０６は、ワイヤ１２を容易に挿通させる最低限のクリアランスを有することが好ましい。孔３０５及び孔３０６が最低限のクリアランスを有することによって、ワイヤ１２を固定する効果と防水効果とが更に奏され、樹脂剤８が流れ出ることなく、ゴム等の弾性体でワイヤ１２を締め付けて防水する必要がなく、アセンブリの作業が更に簡易となる。
【０１０７】
［５−２．台座］
図２０を用いて、グロメット３０１に備えられる台座３０２について説明する。図２０（ａ）は台座３０２の第２主面３０２ｂ側の斜視図である。図２０（ｂ）は台座３０２の第１主面３０２ａ側の斜視図である。図２０（ｃ）は、台座３０２が有する複数の孔３０５の一部を拡大した図である。
【０１０８】
図２０（ａ）及び（ｂ）に示されるように、台座３０２は略矩形状の第１主面３０２ａ及び第２主面３０２ｂを有する。第１主面３０２ａと第２主面３０２ｂとは互いに反対側に位置して表裏関係にある。第２主面３０２ｂは平板状の凸部３１３を有する。平板状の凸部３１３上には、複数の突起部９が形成される。複数の突起部９の詳細については上記のとおりである。また、第２主面３０２ｂは、第２主面３０２ｂの周囲部（第２主面３０２ｂにおいて、平板状の凸部３１３ではない部分）に防水部材であるＯリング１０を配するための周辺凹部３１８を有する。
【０１０９】
第１主面３０２ａは、平板状の凹部３１４を有する。平板状の凹部３１４には、樹脂剤８を流し込むためのプール部３０４と、外堀３０７とが形成される。プール部３０４は、略矩形状であり、第１主面３０２ａに対して垂直である方向にプール部３０４を区画するための側面板３１５を有する。外堀３０７は、側面板１５の外側であって、プール部３０４の外周側に形成される。プール部３０４には、長手方向に、ワイヤ１２を挿通するための５個の孔３０５が配され、短手方向に、ワイヤ１２を挿通するための２個の孔３０５が配される。すなわち、プール部３０４には、１０個の孔３０５が配される。なお、図２０（ｂ）に示される、孔３０５の数が１０個であることは一例に過ぎず、孔３０５の数は、ワイヤの本数に応じて随意に変更される。
【０１１０】
［５−３．支持構造体（ワイヤ固定部）］
図２１を用いて、グロメット３０１に備えられる複数の支持構造体３０３について説明する。図２１（ａ）は、複数の支持構造体３０３の表面側の斜視図である。図２１（ｂ）は、複数の支持構造体３０３の裏面側の斜視図である。
【０１１１】
図２１（ａ）及び（ｂ）に示されるように、長手方向に５個の支持構造体３０３が形成され、短手方向に２個の支持構造体３０３が形成されて、合計で１０個の支持構造体が全体で略矩形状となっている。短手方向の２個の支持構造体は、連結部３３２によって連結され、長手方向の５個の支持構造体は、枠体３３０によって連結されている。支持構造体３０３は、ワイヤ１２を挿通するための孔３０６を有して、上記のとおり、合計で１０個の支持構造体が全体で略矩形状となっているので、長手方向に５個の孔３０６が配されて、短手方向に２個の孔３０６が配されていることとなる。台座３０２に備えられるプール部３０４に所定の高さを保って矩形状の１０個の支持構造体が挿入されるために、枠体３３０には、４つの支持棒３３１が設けられている。なお、図２１（ａ）及び（ｂ）に示される、支持構造体の数が１０個であることは一例に過ぎず、支持構造体の数は、ワイヤの本数に応じて随意に変更される。
【０１１２】
台座３０２の孔３０５に１０本のワイヤ１２を挿通し、続いて１０個の支持構造体３０３の孔３０６に１０本のワイヤ１２を挿通するときに、ワイヤ１２がねじれたり、曲がったりしないように、１０個の孔３０５のそれぞれがプール部３０４に配される位置と、１０個の孔３０６のそれぞれが配される位置とは略一致している。
【０１１３】
＜６．第５の実施形態（電池パックの例）＞
［６−１．電池パック］
図２４〜図２６を用いて、本技術に係る第５の実施形態（電池パックの例）の電池パック６０１について説明する。図２４は、電池パック６０１の斜視図である。図２５は、図２４に示されるＥ−Ｅ線の断面斜視図である。図２６は、図２４に示されるＦ−Ｆ線の断面斜視図である。
【０１１４】
電池パック６０１は、電池セル６０７と、電池セル６０７が収容される電池パックケース６０２と、を少なくとも備える。また、電池パック６０１は、電池セル６０７と電池セル６０７が収容される電池ホルダ６０６とからなる電池ブロック６０５と、電池ブロック６０５が収容される電池パックケース６０２と、を少なくとも備えていてもよい。電池パックケース６０２は、ワイヤ１２を導出するための導出孔６０３を有する。導出孔６０３には、本技術に係るグロメットが配される。図２４〜図２６中では、上記で述べたグロメット１が導出孔６０３に配されている。なお。上記で述べたグロメット１０１、グロメット２０１又はグロメット３０１が導出孔６０３に配されてもよい。また、電池パックケース６０２の内部には、電池ブロックから生じる熱を外部に放出するための熱伝導性材（不図示）と、電池ブロックの防振に寄与する防振材６１１とが設けられている。電池ブロック及び電池パックケース６０２については、以下に説明する。なお、本技術に係る電池パックにおいて、電池パックの構成、例えば、電池の個数や接続態様などは、電池パックの用途に応じて適宜変更することができる。
【０１１５】
［６−２．電池ブロック］
電池ブロック６０５は、電池セル６０７と、電池が収容される電池ホルダ６０６とからなる。電池セル６０７としては、特に限定されず、公知の電池を用いることができる。例えば、マンガン乾電池、アルカリマンガン乾電池、リチウム一次電池などの一次電池や、ニッケル−カドミウム電池、ニッケル−金属水素化物電池、ニッケル−亜鉛電池、鉛電池、リチウム二次電池、リチウムイオン二次電池、リチウムイオンポリマー二次電池等の二次電池等が挙げられ、本技術に係る第５の実施形態の電池パックではリチウムイオン二次電池（例えば、ソニー株式会社製、形式番号ＵＳ１８６５０シリーズ）を用いることが好ましい。電池として、高いエネルギー密度を持つリチウムイオン二次電池を用いる場合は、電池パックケース６０２の中には、安全性を確保するため、保護回路（ＰＣＭ）が収容されていてもよい。電池ホルダ６０６は、一対の半体からなり、これら一対の半体は互いに略同一形状とされ、略矩形状に形成される。各半体の材料としては特に限定されず、例えば、プラスチックなどの絶縁材を上げることができる。
【０１１６】
［６−３．電池パックケース］
電池パックケース６０２は、一対の電池パックケース半体６０２ａ（図中では上部の半体）及び半体６０２ｂ（図中では下部の半体）からなる。一対の電池パックケース半体６０２ａ及び半体６０２ｂが、電池パックケース用Ｏリング６０５を介して、ネジ６０９を締結することにより組み合わされる。なお、一対の電池パックケース半体６０２ａ及び半体６０２ｂを組み合わせる方法は特に限定されず、公知の方法を用いることができる。
【０１１７】
上記のとおり、半体６０２ａ及び半体６０２ｂは電池パックケース用Ｏリング６０５を介して組み合わされる。具体的には、電池パックケース用Ｏリング６０５は、半体６０２ａの嵌合面と半体６０２ｂの嵌合面との間に配される。Ｏリング６０５は、電池パック６０１が組み立てられた状態において、半体６０２ａの嵌合面と半体６０２ｂの嵌合面との間に弾性変形した状態で配される。その結果、Ｏリング６０５により、電池パックケース６０２内に水や塵等の異物が侵入することを防止することができる。
【０１１８】
電池パックケース用Ｏリング６０５を作製するために用いられる材料は、弾性変形することができれば特に限定されないが、上記で述べたＯリング１０を作製するために用いられる具体的な材料と同様であることが好ましい。
【０１１９】
電池パックケース６０２の外面には、電池から生じた熱を放出するための放熱部６０８が形成されている。この放熱部６０８は、突起状に形成されたフィンが電池パック６０１の長手方向及び幅方向に沿って所定の間隔で配列された構成であり、所謂放熱フィンの構造をなしている。
【０１２０】
［６−４．電池パックにおけるグロメットの配置例］
上記で述べたとおり、電池パックケース６０２は、ワイヤ１２を導出するための導出孔６０３を有し、導出孔６０３には、グロメット１が配されている。導出孔６０３は、ワイヤ１２を電池パック６０１から引き出すためのものであり、電池パックケースの半体６０２ｂの側面板６０２ｂ１に形成される。側面板６０２ｂ１は、電池パックケースの半体６０２ｂに備えられる側面板のうち、半体６０２ｂの長手方向の一端に配されて、図中のｙ軸方向及びｚ軸方向（ｘ軸方向に垂直）に形成される側面板である。
【０１２１】
グロメット１は、グロメット１が有する、突起部９が備えられた第２主面２ｂの凸部１３が電池パック６０２の外側にとなるように導出孔６０３に配され、突起部９が備えられた第２主面２ｂの凸部１３がグロメット１の意匠面となる。したがって、導出孔６０３の大きさ（開口部面積）は、凸部１３の大きさ（面積）と略同一でよい。そして、電池パックケース６０２の導出孔６０３への組み付けは、グロメット１を押し当てて、第２主面２ｂの周辺凹部１８に配されたＯリング１０が電池パックケース６０２の内壁に密着させるようにして行われる。このような組み付けは、電池パック６０１全体の防水性の向上に寄与することができる。また、電池パックケース６０２とグロメット１との界面の防水は、Ｏリング１０を利用しているので、電池パックケース６０２への組み付けが従来構造のようにゴムやエラストマーを導出孔（貫通穴）に潰し入れるではなく、押し当てて係止するので組み付け作業の難易度が防水仕様に依存しないこととなる。
【０１２２】
＜７．第６の実施形態（電子機器の例）＞
［７−１．電子機器］
本技術に係る第６の実施形態の電子機器の例は、本技術に係る第５の実施形態の電池パックを電力供給源として備える。
【０１２３】
本技術に係る第６の実施形態の電子機器が備える電池パックは、上記で述べたとおりであり、図２４〜図２６に示される第５の実施形態の電池パックである。したがって、ここでは、電池パックの説明は省略する。
【０１２４】
［７−２．電子機器の具体例］
また、本技術に係る第６の実施形態の電子機器としては、例えばノート型パソコン、ＰＤＡ（携帯情報端末）、携帯電話、コードレスフォン子機、ビデオムービー、デジタルスチルカメラ、電子書籍、電子辞書、音楽プレイヤー、ラジオ、ヘッドホン、ゲーム機、ナビゲーションシステム、メモリーカード、ペースメーカー、補聴器、電動工具、電気シェーバー、冷蔵庫、 エアコン、テレビ、ステレオ、温水器、電子レンジ、食器洗い器、洗濯機、乾燥器、照明機器、玩具、医療機器、ロボット、ロードコンディショナー、信号機等が挙げられる。
【０１２５】
＜８．第７の実施形態（電動車両の例）＞
本技術に係る第５の実施形態の電池パックは、本技術に係る第７の実施形態の電動車両に電力を供給するために使用することができる。本技術に係る第７の実施形態の電動車両の例は、本技術に係る第５の実施形態の記載の電池パックと、電池パックから供給された電力を駆動力に変換する変換部と、駆動力に応じて駆動する駆動部と、電池パックの使用状態を制御する制御部と、を備える。前記電動車両としては鉄道車両、ゴルフカート、電動カート、電気自動車（ハイブリッド自動車を含む）等が挙げられ、これらの駆動用電源または補助用電源として用いられる。
【０１２６】
図２７は、電動車両の一例であるハイブリッド自動車のブロック構成を表している。この電動車両は、例えば、金属製の筐体７１の内部に、制御部７２と、エンジン７３と、電池パック７０１と、駆動用のモータ７４と、差動装置７５と、発電機７６と、トランスミッション８０およびクラッチ８１と、インバータ８２，８３と、各種センサ８４とを備えている。この他、電動車両は、例えば、差動装置７５およびトランスミッション８０に接続された前輪用駆動軸８５および前輪８６と、後輪用駆動軸８７および後輪８８とを備える。
【０１２７】
この電動車両は、例えば、エンジン７３またはモータ７４のいずれか一方を駆動源として走行可能である。エンジン７３は、主要な動力源であり、例えば、ガソリンエンジンなどである。エンジン７３を動力源とする場合、そのエンジン７３の駆動力（回転力）は、例えば、駆動部である差動装置７５、トランスミッション８０およびクラッチ８１を介して前輪８６または後輪８８に伝達される。なお、エンジン７３の回転力は発電機７６にも伝達され、その回転力を利用して発電機７６が交流電力を発生させると共に、その交流電力はインバータ８３を介して直流電力に変換され、電池パック７０１に蓄積される。一方、変換部であるモータ７４を動力源とする場合、電池パック７０１から供給された電力（直流電力）がインバータ８２を介して交流電力に変換され、その交流電力を利用してモータ７４が駆動する。このモータ７４により電力から変換された駆動力（回転力）は、例えば、駆動部である差動装置７５、トランスミッション８０およびクラッチ８１を介して前輪８６または後輪８８に伝達される。
【０１２８】
なお、図示しない制動機構を介して電動車両が減速すると、その減速時の抵抗力がモータ７４に回転力として伝達され、その回転力を利用してモータ７４が交流電力を発生させるようにしてもよい。この交流電力はインバータ８２を介して直流電力に変換され、その直流回生電力は電池パック７０１に蓄積されることが好ましい。
【０１２９】
制御部７２は、電動車両全体の動作を制御するものであり、例えば、ＣＰＵなどを含んでいる。
電池パック７０１は、外部電源と接続され、その外部電源から電力供給を受けることで電力を蓄積可能になっていてもよい。各種センサ８４は、例えば、エンジン７３の回転数を制御したり、図示しないスロットルバルブの開度（スロットル開度）を制御するために用いられる。この各種センサ８４は、例えば、速度センサ、加速度センサ、エンジン回転数センサなどを含んでいる。
【０１３０】
そして、電池パック７０１としては、図２４〜図２６に示す第５の実施形態を適用することができる。このため、ここでは、電池パックの説明は省略する。
なお、電動車両がハイブリッド自動車である場合について説明したが、その電動車両は、エンジン７３を用いずに電池パック７０１およびモータ７４だけを用いて作動する車両（電気自動車）でもよい。
【０１３１】
＜９．第８の実施形態（電力貯蔵システムの例）＞
本技術に係る第５の実施形態の電池パックは、本技術に係る第８の実施形態の電力貯蔵システムのための電力貯蔵用電源としても適用可能である。本技術に係る第８の実施形態の電力貯蔵システムの例は、本技術に係る第５の実施形態の電池パックと、電池パックから電力が供給される１または２以上の電気機器と、電池パックからの電気機器に対する電力供給を制御する制御部と、を備える。
図２８は、電力貯蔵システムのブロック構成を表している。この電力貯蔵システムは、例えば、一般住宅および商業用ビルなどの家屋９０の内部に、電池パック８０１と、制御部９１と、スマートメータ９２と、パワーハブ９３とを備える。
【０１３２】
電池パック８０１は、例えば、家屋９０の内部に設置された電気機器９４に接続されていると共に、家屋９０の外部に停車された電動車両９６に接続可能になっている。また、電池パック８０１は、例えば、家屋９０に設置された自家発電機９５にパワーハブ９３を介して接続されていると共に、スマートメータ９２およびパワーハブ９３を介して外部の集中型電力系統９７に接続可能になっている。電池パック８０１としては、図２４〜図２６に示す第５の実施形態の電池パックを適用することができる。このため、ここでは、電池パックの説明は省略する。
【０１３３】
なお、電気機器９４は、例えば、１または２以上の家電製品を含んでおり、その家電製品は、例えば、冷蔵庫、エアコン、テレビおよび給湯器などである。自家発電機９５は、例えば、太陽光発電機および風力発電機などのいずれか１種類または２種類以上である。電動車両９６は、例えば、電気自動車、電気バイクおよびハイブリッド自動車などの１種類または２種類以上である。集中型電力系統９７は、例えば、火力発電所、原子力発電所、水力発電所および風力発電所などの１種類または２種類以上である。
【０１３４】
制御部９１は、電力貯蔵システム全体の動作（電池パック８０１の使用状態を含む）を制御するものであり、例えば、ＣＰＵなどを含んでいる。スマートメータ９２は、例えば、電力需要者の家屋９０に設置されるネットワーク対応型の電力計であり、電力供給者と通信可能になっている。これに伴い、スマートメータ９２は、例えば、外部と通信しながら、家屋９０における需要・供給のバランスを制御することで、効率的で安定したエネルギー供給を可能とする。
【０１３５】
この電力貯蔵システムでは、例えば、外部電源である集中型電力系統９７からスマートメータ９２およびパワーハブ９３を介して電池パック８０１に電力が蓄積されると共に、独立電源である太陽光発電機９５からパワーハブ９３を介して電池パック８０１に電力が蓄積される。この電池パック８０１に蓄積された電力は、制御部９１の指示に応じて電気機器９４および電動車両９６に供給されるため、その電気機器９４が稼働可能になると共に、電動車両９６が充電可能になる。すなわち、電力貯蔵システムは、電池パック８０１を用いて、家屋９０内における電力の蓄積および供給を可能にするシステムである。
【０１３６】
電池パック８０１に蓄積された電力は、任意に利用可能である。このため、例えば、電気使用量が安い深夜において集中型電力系統９７から電池パック８０１に電力を蓄積しておき、その電池パック８０１に蓄積しておいた電力を電気使用量が高い日中に用いることができる。
【０１３７】
なお、上記した電力貯蔵システムは、１戸（１世帯）ごとに設置されていてもよいし、複数戸（複数世帯）ごとに設置されていてもよい。
【０１３８】
＜１０．第９の実施形態（電動工具の例）＞
本技術に係る第５の実施形態の電池パックは、本技術に係る第９の実施形態の電動工具のための電源として適用可能である。本技術に係る第９の実施形態の電動工具の例は、本技術に係る第５の実施形態の電池パックと、該電池パックから電力が供給される可動部と、を備える。前記電動工具としては、電動ドリル、電動のこぎり、ランマーなどの転圧機、芝刈り機などの電動農機具などが挙げられる。
図２９は、電動工具のブロック構成を表している。この電動工具は、例えば、電動ドリルであり、プラスチック材料などにより形成された工具本体９８の内部に、制御部９９と、電池パック９０１とを備えている。この工具本体９８には、例えば、可動部であるドリル部１００が稼働（回転）可能に取り付けられている。
【０１３９】
制御部９９は、電動工具全体の動作（電源９０１の使用状態を含む）を制御するものであり、例えば、ＣＰＵなどを含んでいる。この制御部９９は、図示しない動作スイッチの操作に応じて、電池パック９０１からドリル部１００に電力を供給するようになっている。
電池パック９０１は、図２４〜図２６に示す第５の実施形態の電池パックを適用することができる。このため、ここでは、電池パックの説明は省略する。
【０１４０】
また、本技術は、以下のような構成を取ることもできる。
［１］
台座と、ワイヤを固定するワイヤ固定部と、を備え、
該台座及び該ワイヤ固定部のそれぞれが、ワイヤを挿通する少なくとも１つの孔を有し、
該台座がプール部を備え、
該プール部に樹脂剤を流し込んで硬化させてなる、
グロメット。
［２］
前記プール部が外堀を備える、［１］に記載のグロメット。
［３］
前記ワイヤを挿通する少なくとも１つの突起部を備え、
該突起部が、前記プール部が形成される前記台座の第１主面とは反対の第２主面上に形成される、［１］又は［２］に記載のグロメット。
［４］
防水部材を備え、
該防水部材が、前記プール部が形成される台座の第１主面とは反対の第２主面の周囲に配される、［１］から［３］のいずれか１つに記載のグロメット。
［５］
前記台座が、前記ワイヤを保持する少なくとも１つの保持部材を含み、
前記少なくとも１つの保持部材が、前記台座が有する前記少なくとも１つの孔の周囲部に設けられている、［１］から［４］のいずれか１つに記載のグロメット。
［６］
前記台座及び前記ワイヤ固定部のそれぞれが硬質材料からなる、［１］から［５］のいずれか１つに記載のグロメット。
［７］
前記ワイヤ固定部が、前記プール部を覆う第１カバー部材である、［１］から［６］のいずれか１つに記載のグロメット。
［８］
前記ワイヤ固定部が、前記プール部を覆い、前記樹脂剤を流し込む開口部を有する第２カバー部材である、［１］から［６］のいずれか１つに記載のグロメット。
［９］
前記ワイヤ固定部が、前記プール部を覆う第３カバー部材であり、
前記台座と該第３カバー部材とが一体成形された一体成形体を備え、
該一体成形体が、前記樹脂剤を流し込む開口部を有する、［１］から［６］のいずれか１つに記載のグロメット。
［１０］
前記ワイヤ固定部が、前記ワイヤを支持する少なくとも１つの支持構造体から構成される、［１］から［６］のいずれか１つに記載のグロメット。
［１１］
電池セルと、該電池セルが収容される
電池パックケースと、を少なくとも備え、
該電池パックケースが、ワイヤを導出するための導出孔を有し、
該導出孔にはグロメットが配され、
該グロメットが、台座と、ワイヤを固定するワイヤ固定部と、を備え、
該台座及び該ワイヤ固定部のそれぞれが、ワイヤを挿通する少なくとも１つの孔を有し、
該台座がプール部を備え、該プール部に樹脂剤を流し込んで硬化させてなる、
電池パック。
［１２］
前記プール部が外堀を備える、［１１］に記載の電池パック。
［１３］
前記グロメットが、前記ワイヤを挿通する少なくとも１つの突起部を備え、
該突起部が、前記プール部が形成される前記台座の第１主面とは反対の第２主面上に形成される、［１１］又は［１２］に記載の電池パック。
［１４］
前記グロメットが防水部材を備え、
該防水部材が、前記プール部が形成される台座の第１主面とは反対の第２主面の周囲に配され、
該防水部材が、前記グロメットと前記電池パックケースとの間に介在される、［１１］から［１３］のいずれか１つに記載の電池パック。
［１５］
前記台座が、前記ワイヤを保持する少なくとも１つの保持部材を含み、
前記少なくとも１つの保持部材が、前記台座が有する前記少なくとも１つの孔の周囲部に設けられている、［１１］から［１４］のいずれか１つに記載の電池パック。
［１６］
前記台座及び前記ワイヤ固定部のそれぞれが硬質材料からなる、［１１］から［１５］のいずれか１つに記載の電池パック。
［１７］
前記ワイヤ固定部が、前記プール部を覆う第１カバー部材である、［１１］から［１６］のいずれか１つに記載の電池パック。
［１８］
前記ワイヤ固定部が、前記プール部を覆い、前記樹脂剤を流し込む開口部を有する第２カバー部材である、［１１］から［１６］のいずれか１つに記載の電池パック。
［１９］
前記ワイヤ固定部が、前記プール部を覆う第３カバー部材であり、
前記台座と該第３カバー部材とが一体成形された一体成形体を備え、
該一体成形体が、前記樹脂剤を流し込む開口部を有する、［１１］から［１６］のいずれか１つに記載の電池パック。
［２０］
前記ワイヤ固定部が、前記ワイヤを支持する少なくとも１つの支持構造体から構成される、［１１］から［１６］のいずれか１つに記載の電池パック。
［２１］
［１１］から［２０］のいずれか１つに記載の電池パックを電力供給源として備える、電子機器。
［２２］
［１１］から［２０］のいずれか１つに記載の電池パックと、
該電池パックから供給された電力を駆動力に変換する変換部と、該駆動力に応じて駆動する駆動部と、
該電池パックの使用状態を制御する制御部と、を備える、電動車両。
［２３］
［１１］から［２０］のいずれか１つに記載の電池パックと、
該電池パックから電力が供給される１または２以上の電気機器と、
該電池パックからの該電気機器に対する電力供給を制御する制御部と、を備える、電力貯蔵システム。
［２４］
［１１］から［２０］のいずれか１つに記載の電池パックと、
該電池パックから電力が供給される可動部と、を備える、電動工具。
【符号の説明】
【０１４１】
１、１０１、２０１、３０１・・・グロメット
６０１、７０１、８０１、９０１・・・電池パック
２、１０２、２０２、３０２・・・台座
３・・・第１カバー部材（ワイヤ固定部）
４・・・プール部
５・・・孔（台座）
６・・・孔（第１カバー部材）
８・・・樹脂剤
１０３・・・第２カバー部材（ワイヤ固定部）
２０３・・・第３カバー部材（ワイヤ固定部）
２２０・・・一体成形体
３０３・・・支持構造体（ワイヤ固定部）
【図１】
2017217120.tif 000003
【図２】
2017217120.tif 000004
【図３】
2017217120.tif 000005
【図４】
2017217120.tif 000006
【図５】
2017217120.tif 000007
【図６】
2017217120.tif 000008
【図７】
2017217120.tif 000009
【図８】
2017217120.tif 000010
【図９】
2017217120.tif 000011
【図１０】
2017217120.tif 000012
【図１１】
2017217120.tif 000013
【図１２】
2017217120.tif 000014
【図１３】
2017217120.tif 000015
【図１４】
2017217120.tif 000016
【図１５】
2017217120.tif 000017
【図１６】
2017217120.tif 000018
【図１７】
2017217120.tif 000019
【図１８】
2017217120.tif 000020
【図１９】
2017217120.tif 000021
【図２０】
2017217120.tif 000022
【図２１】
2017217120.tif 000023
【図２２】
2017217120.tif 000024
【図２３】
2017217120.tif 000025
【図２４】
2017217120.tif 000026
【図２５】
2017217120.tif 000027
【図２６】
2017217120.tif 000028
【図２７】
2017217120.tif 000029
【図２８】
2017217120.tif 000030
【図２９】
2017217120.tif 000031
【国際調査報告】
2017217120.tif 000032
2017217120.tif 000033
2017217120.tif 000034
2017217120.tif 000035